(57)【要約】【課題】Ｖノッチ状の座屈部の発生を簡単な構成で防止して、必要な止水高さを確保できるように工夫した起伏ゲートを提供する。【解決手段】可撓性膜製の袋体２が水路（河川）１の流れを横断する方向に配置され、水路１の底面部１ａ、または水路１の底面部１ａと両側面部１ｂに取付けられて、流体の供給で袋体２を膨張・起立させ、流体の排出で袋体２を収縮・倒伏させる起伏ゲート３である。袋体２の幅方向の中央部付近の上面部分に、袋体２よりも曲げ剛性の高い可撓性膜シート５を貼り合わせている。【選択図】図１
0003146022.tif 000002
【実用新案登録請求の範囲】
【請求項１】
可撓性膜製の袋体が河川の流れを横断する方向に配置され、河川の底面部、または河川の底面部と両側面部に取付けられて、流体の供給で袋体を膨張・起立させ、流体の排出で袋体を収縮・倒伏させる起伏ゲートであって、
前記袋体の幅方向の中央部付近の上面部分に、袋体よりも曲げ剛性の高い可撓性膜シートが貼り合わされていることを特徴とする起伏ゲート。
【考案の詳細な説明】
【技術分野】
【０００１】
本考案は、起伏ゲートに関する。
【背景技術】
【０００２】
従来、可撓性膜製の袋体が河川（水路）の流れを横断する方向に配置され、河川の底面部、または河川の底面部と両側面部に取付けられて、流体の供給で袋体を膨張・起立させ、流体の排出で袋体を収縮・倒伏させる起伏ゲート（起伏堰）がある（特許文献１参照）。
【０００３】
図３および図４は、水路（河川）１の底面部１ａと両側面部１ｂに袋体２が取付けられた起伏ゲート３´の例である。図３（ａ）は、流体の排出で袋体２を収縮・倒伏させた状態を上流側から見た斜視図、図３（ｂ）は、流体の供給で袋体２を膨張・起立させた状態を上流側から見た斜視図である。図４（ａ）は、流体の供給で袋体２を膨張・起立させた状態を上流側から見た正面図、図４（ｂ）は、図４（ａ）の側面図である。
【０００４】
前記のように、袋体２を用いた起伏ゲート３´の場合、膨張・起立時に必要な止水高さ（堰高）Ｈが確保できれば問題は無い。
【特許文献１】特開昭６１−２８６４１０号公報
【考案の開示】
【考案が解決しようとする課題】
【０００５】
しかしながら、起伏ゲート３´が例えば径間長Ｂ／扉高Ｈ≦１．５のような短径間の場合、膨張・起立時に袋体２の中央部にＶノッチ状の座屈部４が発生し、この座屈部４では、止水高さＨがＨ´に低下する。そのために、必要な止水高さＨが確保できなくなるという問題があった。
【０００６】
なお、引用文献１は、Ｖノッチ状の座屈部４の発生に起因する悪影響を防止するものであるが、検出手段や電動式排気弁等を必要とするから、構造が複雑でコスト高になる。
【０００７】
本考案は、前記問題を解消するためになされたもので、Ｖノッチ状の座屈部の発生を簡単な構成で防止して、必要な止水高さを確保できるように工夫した起伏ゲートを提供することを目的とするものである。
【課題を解決するための手段】
【０００８】
前記課題を解決するために、本考案は、可撓性膜製の袋体が河川の流れを横断する方向に配置され、河川の底面部、または河川の底面部と両側面部に取付けられて、流体の供給で袋体を膨張・起立させ、流体の排出で袋体を収縮・倒伏させる起伏ゲートであって、前記袋体の幅方向の中央部付近の上面部分に、袋体よりも曲げ剛性の高い可撓性膜シートが貼り合わされていることを特徴とする起伏ゲートを提供するものである。
【考案の効果】
【０００９】
本考案によれば、袋体の上面部分に可撓性膜シートを貼り合わせ、この可撓性膜シートは、袋体の可撓性膜よりも曲げ剛性を高く設定している。これにより、膨張・起立時に、袋体の座屈が可撓性膜シートの曲げ剛性で抑制されるので、Ｖノッチ状の座屈部の発生が防止されて、必要な止水高さを確実に確保できるようになる。また、袋体の上面部分に可撓性膜シートを面対面で貼り合わせるだけであるから、構造がきわめて簡単でコスト安であり、既存の起伏ゲートの袋体にも簡単に採用することができる。
【考案を実施するための最良の形態】
【００１０】
以下、本考案を実施するための最良の形態について、図面を参照しながら詳細に説明する。
【００１１】
図１および図２は、水路（河川）１の底面部１ａと両側面部１ｂに袋体２が取付けられた起伏ゲート３の例である。図１（ａ）は、流体（空気や水等の膨張媒体）の排出で袋体２を収縮・倒伏させた状態を上流側から見た斜視図、図１（ｂ）は、流体の供給で袋体２を膨張・起立させた状態を上流側から見た斜視図である。図２（ａ）は、流体の供給で袋体２を膨張・起立させた状態を上流側から見た正面図、図２（ｂ）は、図２（ａ）の側面図である。
【００１２】
袋体２、および袋体２を水路１に取付ける構成は、図３，４の背景技術の起伏ゲート３´と同じである。
【００１３】
本実施形態の起伏ゲート３は、袋体２の幅方向の中央部付近の上面部分に、袋体２よりも曲げ剛性の高い四角形状の可撓性膜シート５を面対面で貼り合わせたものである。なお、各図では、可撓性膜シート５を分かりやすくするために、クロスハッチングで示している。この可撓性膜シート５としては、多層ゴム引き布等が適当である。剛性を高くするためには、硬度の高いゴムや厚いゴム等を用いることができる。
【００１４】
この実施形態によれば、袋体２の上面部分に可撓性膜シート５を面対面で貼り合わせ、この可撓性膜シート５は、袋体２の可撓性膜よりも曲げ剛性を高く設定している。
【００１５】
これにより、膨張・起立時に、袋体２の座屈が可撓性膜シート５の曲げ剛性で抑制されるので、Ｖノッチ状の座屈部４の発生が防止されて、必要な止水高さＨを確実に確保できるようになる。
【００１６】
また、袋体２の上面部分に可撓性膜シート５を面対面で貼り合わせるだけであるから、構造がきわめて簡単でコスト安であり、既存の起伏ゲートの袋体にも簡単に採用することができる。
【００１７】
前記実施形態は、水路１の底面部１ａと両側面部１ｂに袋体２を取付けたものであったが、底面部１ａだけに袋体２を取付けたものであっても良い。
【００１８】
前記実施形態は、河川、水路等に設置される起伏ゲートであったが、堤防の嵩上げ堰や地下空間に対する防水扉にも適用することができる。
【図面の簡単な説明】
【００１９】
【図１】本考案の起伏ゲートの実施形態であり、（ａ）は、流体の排出で袋体を収縮・倒伏させた状態を上流側から見た斜視図、（ｂ）流体の供給で袋体を膨張・起立させた状態を上流側から見た斜視図である。
【図２】本考案の起伏ゲートの実施形態であり、（ａ）は、流体の供給で袋体を膨張・起立させた状態を上流側から見た正面図、（ｂ）は、（ａ）の側面図である。
【図３】従来の起伏ゲートであり、（ａ）は、流体の排出で袋体を収縮・倒伏させた状態を上流側から見た斜視図、（ｂ）流体の供給で袋体を膨張・起立させた状態を上流側から見た斜視図である。
【図４】従来の起伏ゲートであり、（ａ）は、流体の供給で袋体を膨張・起立させた状態を上流側から見た正面図、（ｂ）は、（ａ）の側面図である。
【符号の説明】
【００２０】
１    水路（河川）
１ａ  底面部
１ｂ  側面部
２    袋体
３    起伏ゲート
４    Ｖノッチ状の座屈部
５    可撓性膜シート
【図１】
0003146022.tif 000003
【図２】
0003146022.tif 000004
【図３】
0003146022.tif 000005
【図４】
0003146022.tif 000006